(57)【要約】【課題】指向性の強い光源を用いた場合でも、光を拡散させて配光を拡げ、且つ、成形性の高い光拡散カバーと、それを備えた照明器具を提供することを目的とする。【解決手段】照明器具１１の光源部４１の照射面側を覆う透光性の保護カバー９１であって、前記光源部４１は、複数のＬＥＤ素子４２が並んで配列された少なくとも１つのＬＥＤ素子列を有し、前記保護カバー９１は、平面視において前記ＬＥＤ素子列に重なる、照射面側に向けて凸状のレンズ部を有し、前記レンズ部は、前記ＬＥＤ素子列に沿って延設される突条部９５ａと、前記突条部９５ａの延設する方向に対して交差して突出する複数のリブ部９５ｂを有する。【選択図】図１７
2020004552.tif 000002
【特許請求の範囲】
【請求項１】
照明器具の光源部の照射面側を覆う透光性の光拡散カバーであって、
前記光源部は、複数のＬＥＤ素子が並んで配列された少なくとも１つのＬＥＤ素子列を有し、
前記光拡散カバーは、平面視において前記ＬＥＤ素子列に重なる、照射面側に向けて凸状のレンズ部を有し、
前記レンズ部は、前記ＬＥＤ素子列に沿って延設される突条部と、前記突条部の延設する方向に対して交差して突出する複数のリブ部を有する、光拡散カバー。
【請求項２】
前記複数のリブ部の少なくとも１つは、平面視において前記ＬＥＤ素子に重なる、請求項１に記載の光拡散カバー。
【請求項３】
前記複数のリブ部は、断面視において前記ＬＥＤ素子の光軸に対して対称形状である、請求項１または請求項２に記載の光拡散カバー。
【請求項４】
前記ＬＥＤ素子列は、円環状である、請求項１から請求項３の何れか一項に記載の光拡散カバー。
【請求項５】
請求項１から請求項４の何れか一項に記載の光拡散カバーを有する、照明器具。
【発明の詳細な説明】
【技術分野】
【０００１】
本発明は、光拡散カバー及び照明器具に関する。
【背景技術】
【０００２】
従来、光源としてＬＥＤ素子を備えた照明器具が知られている（例えば、特許文献１参照）。
【０００３】
特許文献１に開示される照明器具では、指向性の強い光源であるＬＥＤ素子から出射された光を拡散させてより均一な発光をさせるために、ＬＥＤ素子の照射面側にレンズ部を有する拡散部材を設けている。特許文献１の拡散部材では、ＬＥＤ素子列に対向する位置に略サークル状の突条部と、突条部から幅方向に延出する基板を覆う平坦部を有する。
【０００４】
特許文献１の拡散部材では、突条部によって照明器具の径方向（内周方向及び外周方向）にＬＥＤ素子から出射された光を拡散させる。
【先行技術文献】
【特許文献】
【０００５】
【特許文献１】特開２０１２−１４６４４０号公報
【発明の概要】
【発明が解決しようとする課題】
【０００６】
特許文献１のような拡散部材は、図２１に示すようにＬＥＤ素子４２から出射された光は、突条部１０９５の入射面１０９５ａにおいて径方向に拡散するように屈折し、出射面１０９５ｂ側に進む。出射面１０９５ｂに到達した光は、更に屈折して径方向に拡散するように進む。このとき、ＬＥＤ素子４２の光軸Ｃに対して突条部１０９５の入射面１０９５ａと出射面１０９５ｂは異なる傾斜角度で設けられている。入射面１０９５ａは、ＬＥＤ素子４２から出射された光を広角に屈折させるために断面視でドーム状に形成される。出射面１０９５ｂは、ＬＥＤ素子４２から出射された光を広角に屈折させるために入射面１０９５ａよりも光軸Ｃに対して大きい角度に傾斜する表面で形成されている。そのため、突条部１０９５は、出射面側から入射面側に向かうにしたがって厚みが増大化する傾向があった。
【０００７】
しかしながら、突条部の厚みが大きくなると、突条部の厚肉な部分に残留応力が残りやすくなる可能性があった。残留応力が残ってしまうと、成形不良や経年劣化による変形等が生じる可能性がある。厚肉な部分に残留応力を残さないように成形するためには樹脂材料の冷却固化の時間を長くする等を行う必要があり、成形難易度が高くなるとともに、成形サイクルが長くなる可能性があった。
そのため、光拡散カバー及びそれを備えた照明器具の構成としては、光を拡散させてより均一な発光をさせるともに、成形が容易な光拡散カバー及びそれを備えた照明器具が望まれる。
【０００８】
そこで、本発明は、上記課題に鑑みてなされたものであり、指向性の強い光源を用いた場合でも、光を拡散させて配光を拡げ、且つ、成形性の高い光拡散カバーと、それを備えた照明器具を提供することを目的とする。
【課題を解決するための手段】
【０００９】
本発明の解決しようとする課題は以上の如くであり、次にこの課題を解決するための手段を説明する。
【００１０】
すなわち、本願に開示する光拡散カバーは、
照明器具の光源部の照射面側を覆う透光性の光拡散カバーであって、
前記光源部は、複数のＬＥＤ素子が並んで配列された少なくとも１つのＬＥＤ素子列を有し、
前記光拡散カバーは、平面視において前記ＬＥＤ素子列に重なる、照射面側に向けて凸状のレンズ部を有し、
前記レンズ部は、前記ＬＥＤ素子列に沿って延設される突条部と、前記突条部の延設する方向に対して交差して突出する複数のリブ部を有するものである。
【００１１】
本願に開示する光拡散カバーにおいて、
前記複数のリブ部の少なくとも１つは、平面視において前記ＬＥＤ素子に重なることが好ましい。
【００１２】
本願に開示する光拡散カバーにおいて、
前記複数のリブ部は、断面視において前記ＬＥＤ素子の光軸に対して対称形状であることが好ましい。
【００１３】
本願に開示する光拡散カバーにおいて、
前記ＬＥＤ素子列は、円環状であることが好ましい。
【００１４】
また、本願に開示する照明器具は、
上記光拡散カバーを有するものである。
【発明の効果】
【００１５】
本発明によれば、指向性の強い光源を用いた場合でも、光を拡散させて配光を拡げ、照明器具の照射光の均整度の向上を図ることができる。また、レンズ部の厚肉化を抑えることができるため、偏肉に伴う成形難易度の上昇を抑止するとともに、残留応力による成形不良や性能劣化を抑止する。
【図面の簡単な説明】
【００１６】
【図１】本発明の一実施形態に係る照明器具を斜め下方から見た斜視図。
【図２】同じく照明器具を示す側面図。
【図３】同じく照明器具を斜め上方から見た分解斜視図。
【図４】同じく照明器具を斜め下方から見た分解斜視図。
【図５】照明器具（透光性カバーを取り外した状態）を示す斜視図。
【図６】照明器具（透光性カバー及び保護カバーを取り外した状態）を示す斜視図。
【図７】電源カバーを示す斜視図。
【図８】電源部を示す斜視図。
【図９】器具本体に電源部を配置した状態を示す斜視図。
【図１０】器具上部カバー及び取付部を示す斜視図。
【図１１】取付部に給電側コネクタ部を組み合わせた状態を示す平面図。
【図１２】保護カバーの照射面側を示す斜視図。
【図１３】保護カバーの取付面側を示す斜視図。
【図１４】基板素材（元基板）を示す平面図。
【図１５】保護カバーの照射面側を示す平面図。
【図１６】図１５に示すＡ−Ａ線断面図。
【図１７】図１５に示すＢ−Ｂ線断面図。
【図１８】第２レンズ部のリブ部９７ｂの配光制御を示す断面図。
【図１９】第２レンズ部の突条部９７ａの配光制御を示す断面図。
【図２０】第２レンズ部の変形例を示す断面図。
【図２１】従来の拡散部材における突条部の径方向の断面を示す断面図。
【発明を実施するための形態】
【００１７】
本発明の実施形態に係る照明器具１１について、図１から図２０を用いて説明する。本実施形態に係る照明器具１１は、複数のＬＥＤ素子４２を光源とする照明器具である。図１、図２に示すように、照明器具１１は、例えば天井等の取付面（図示せず）に直付けされるシーリングライトである。以下の説明では、照明器具１１の光を照射する側を照明器具１１の照射面側とし、照明器具１１における天井等の取付面に対向する側を照明器具１１の取付面側（取付状態では天井側）として説明する。また、照明器具１１において、図２から図４、図１０における上下方向を、照明器具１１の「上下方向」として説明する。上下方向に直交する方向を径方向として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
【００１８】
照明器具１１は、主に器具本体２１、電源部３１、光源部４１、透光性カバー５１、器具上部カバー６１、取付部７１、受信部８１、及び保護カバー９１を有している。照明器具１１は、平面視における形状が円形形状である。
なお、照明器具１１の形状は、本実施形態に示すような円形形状に限らず、平面視における形状がスクエア形状等であってもよい。
【００１９】
器具本体２１は、照明器具１１の本体を構成するものである。器具本体２１は、いわゆるベースやシャーシと呼ばれる部材である。器具本体２１は、扁平な略ハット状で平面視における外形輪郭形状が円形である。器具本体２１は、照射面側に光源部４１、保護カバー９１及び透光性カバー５１等を保持するものである。器具本体２１は、取付面側に電源部３１、及び器具上部カバー６１等を保持するものである。
【００２０】
器具本体２１は、取付面側に凹部（後述する収容部２６の取付面側の部分）が形成される。器具本体２１は、取付面側の反対側となる照射面側に凸部（後述する収容部２６の照射面側の部分）が形成されている。器具本体２１は、図３に示すように、開口部２２、内周縁部２３、底板部２４、周壁部２５、収容部２６、及び鍔部２７を有し、単一の部材として一体的に形成されている。器具本体２１では、底板部２４の照射面側が光源部４１を取り付けるための光源取付部２４ａとなり、該光源取付部２４ａを器具本体２１の照射面側の凸部の頂部に有する。器具本体２１は、電源部３１、取付部７１、器具上部カバー６１、保護カバー９１及び透光性カバー５１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、器具本体２１は、耐久性、強度及び放熱性が高い材料であれば、先述した金属材料に限らず、その他の合金材料や樹脂等の他の材料で形成することができる。
なお、本実施形態においては、内周縁部２３、底板部２４、周壁部２５、収容部２６、及び鍔部２７を器具本体２１として一体的に形成しているが、特に限定するものではなく、上記各構成部材を各々組み付けて構成してもよい。
【００２１】
開口部２２は、取付部７１が露出する円形の開口部分である。開口部２２は、器具本体２１の径方向中心となる位置に設けられている。
【００２２】
内周縁部２３は、開口部２２の周縁部分であり、平面視において円環状である。内周縁部２３は、取付部７１の他端（下端）が当接または近接する部分である。
【００２３】
底板部２４は、内周縁部２３の周囲に円環状に形成された板状部分である。底板部２４は、照射面側に光源部４１が取り付けられる平坦面である光源取付部２４ａを有する。
【００２４】
光源取付部２４ａは、複数（本実施形態では２つ）のＬＥＤ光源モジュール４４が所定位置に取り付けられる平坦面であり、該平坦面にＬＥＤ光源モジュール４４が当接して取り付けられる。光源取付部２４ａは、光源部４１で発生した熱を伝えて外部に放出する放熱部としても機能させるため、光源部４１が取り付けられる光源取付部２４ａは、光源部４１との接触面積が広くなるよう平坦に形成されている。
【００２５】
底板部２４の径方向の中途部には、一端に接続端子を有した、電源部３１から延びる配線を挿通するための四角形状の挿通孔２４ｂが設けられている。
【００２６】
底板部２４の径方向の中途部には、受信部８１が有する受光素子８２に対応する位置に平面視においてオーバル形状の開口である受光窓２４ｃが設けられている。受光窓２４ｃは、上記挿通孔２４ｂに近接して配置されている。
【００２７】
底板部２４の径方向の中途部には、ＬＥＤ光源モジュール４４を光源取付部２４ａにネジ部材により固定するための複数（本実施形態では、４つ）のネジ固定部２４ｆが設けられている。
【００２８】
周壁部２５は、底板部２４の外周縁から上方に行くに従って拡径されるテーパ状の部分である。周壁部２５には、電源部３１のチャンネル切替スイッチ部３８を露出させるように組み合わせるための略四角形状の貫通孔２５ａが設けられている（図５参照）。貫通孔２５ａは、チャンネル切替スイッチ部３８の外形寸法に合わせて形成され、当該チャンネル切替スイッチ部３８の外形寸法よりもやや大きい。
【００２９】
収容部２６は、内周縁部２３、底板部２４及び周壁部２５により形成される扁平で有底略円筒形状の部分である。収容部２６は、平面視において外形形状が円形である。収容部２６は、取付面側から見ると下方に凹状に形成されており、照射面側から見ると下方に凸状に形成されている。収容部２６は、内部に電源部３１、及び取付部７１の一部が収容される部分である。取付部７１は、引掛シーリングアダプタ等の配線部品１１０が取り付けられ、該配線部品１１０を介して照明器具１１を天井等の取付面側に配置された配線器具と電気的に接続される。収容部２６の底面となる底板部２４には、後述する電源ケース３５の爪部２０が係止され、電源ケース３５を位置決めするための複数（本実施形態では、２つ）の切欠き部２４ｅが設けられている。
【００３０】
鍔部２７は、収容部２６の周囲に形成される。鍔部２７は、周壁部２５の上端の外周縁から径方向外側に突出する円環状の部分である。鍔部２７は、器具本体２１の外周縁部分である。鍔部２７の照射面側には、透光性カバー５１を保持するための複数（本実施形態では、３つ）の保持部２９が設けられている。複数の保持部２９は、鍔部２７の周方向に沿って略均等間隔に配置される。また、鍔部２７の取付面側には、複数（本実施形態では、４つ）の緩衝材３０が略均等間隔に配置される。緩衝材３０は、照明器具１１を天井等の取付面に取り付けた状態で、取付面と照明器具１１との間に挟まれて、その弾性力によって照明器具１１のガタツキを防止するためのものである。緩衝材３０の取付位置の詳細については後述する。
【００３１】
電源部３１は、光源部４１と電気的に接続され、器具本体２１の凹部である収容部２６に１つのユニット（１ユニット）として取り付けられるものである。具体的には、電源部３１は、電源回路部３２と、該電源回路部３２を収容する電源ケース３５と、給電側コネクタ部３７と、チャンネル切替スイッチ部３８とを有している。電源部３１の一端側（照射面側）は、収容部２６内に収容されて取り付けられ、他端側（取付面側）は器具上部カバー６１に当接する。
【００３２】
電源回路部３２は、光源部４１が有するＬＥＤ素子４２（図６参照）に給電を行って、ＬＥＤ素子４２を点灯させるための電源回路である。電源回路部３２は、一端が円弧状に形成された、平面視略Ｄ字形状に加工されたプリント配線基板である電源基板３３上に複数の電源回路部品等の電子部品が実装された電源回路である。電源回路部３２は、外部商用電源から供給される交流電流を所定の直流電流に変換し、変換後の電流を基板４３に実装された複数のＬＥＤ素子４２に供給するためのものである。電源回路部３２（電源基板３３）は、電源回路部品等の電子部品の実装面側を下側に向けた状態で配置される。電源基板３３の実装面側（下面側）には、電源回路部品等の電子部品と、リモコン信号の受信部８１が配置されている。受信部８１は、受光素子８２とチャンネル切替スイッチ８３とを有している。すなわち、電源部３１は、電源回路部品等の電子部品とリモコン信号を受信する受光素子８２が同一の基板に実装されて形成されている。また、電源部３１は、電源回路部品等の電子部品とチャンネル切替スイッチ８３が同一の基板に実装されて形成されている。また、電源部３１では、前記電源回路部品等の電子部品、受光素子８２、及びチャンネル切替スイッチ８３が電源基板３３の一方の表面（下面）に実装されている。電源基板３３には、電源ケース３５の受光窓３５ａ２及び器具本体２１の受光窓２４ｃに対向する位置に受信部８１の受光素子８２が配置されている。また、電源基板３３の一端部（円弧形状の端部の頂部）には、チャンネル切替スイッチ８３が配置されている。電源回路部３２は、配線を介して給電側コネクタ３４が設けられている。給電側コネクタ３４は、照明器具１１を天井等の取付面に取り付ける際、配線器具側のコネクタ（図示せず）に接続することで、電源回路部３２は照明器具用の天井配線器具を介して外部商用電源と電気的に接続される。電源回路部３２と光源部４１は配線（図示せず）によって後述する挿通孔３５ａ１を介して電気的に接続されている。
【００３３】
電源ケース３５は、樹脂素材で形成された取付面側が開放された扁平で有底容器状の部材である。本実施形態の電源ケース３５は、取付部７１に対向する側が平坦で器具本体２１の周壁部２５に対向する側が湾曲形状となっており、平面視略Ｄ字形状に形成される。電源ケース３５は、器具本体２１に取り付けることができる。電源ケース３５は、底面部３５ａと、第１周壁部３５ｂと、第２周壁部３５ｃと、第３周壁部３５ｄと、給電側コネクタ保持部３５ｅと、チャンネル切替スイッチ部３８と、電源基板保持部３９（係止部３９ａ、規制部３９ｂ）とを有している。電源ケース３５は、電気的絶縁性を有する部材である。
【００３４】
底面部３５ａは、平面視略Ｄ字形状の板状部分である。第１周壁部３５ｂは、底面部３５ａの長辺部から上方に延設される板状部分である。第２周壁部３５ｃは、長手方向において対向する側壁であり、底面部３５ａの一対の短辺部から上方に延設される板状部分である。第３周壁部３５ｄは、底面部３５ａの円弧状部から延設され、器具本体２１の周壁部２５に近接もしくは当接するように形成される湾曲状の湾曲部３５ｄ１と、該湾曲部３５ｄ１の上端から上方に延設される平面視円弧状の延設部３５ｄ２と有している。
【００３５】
底面部３５ａは、電源回路部３２と光源部１とを電気的に接続する配線を挿通するための円形状の挿通孔３５ａ１と、後述する受光素子８２に対応する位置にオーバル状の受光窓３５ａ２とを有している。
【００３６】
電源ケース３５の内部は、平面視略Ｄ字形状の電源回路部３２（電源基板３３）を収容して配置する電源回路配置部３６を有する。電源ケース３５は、電源回路配置部３６に配置した電源基板３３を保持するための電源基板保持部３９を有している。電源基板保持部３９は、複数(本実施形態では、８つ)の係止部３９ａと、底面部３５ａの取付面側においてチャンネル切替スイッチ部３８の近傍に上方に向けて凸状に立設される規制部３９ｂとで構成される。係止部３９ａ電源ケース３５の上端側の周縁部に設けられる（図７参照）。電源基板保持部３９は、電源回路部３２を電源回路配置部３６に収容した際に、電源基板３３の周縁部を係止する。係止部３９ａは、矢尻状爪部３９ａ１と、矢尻状爪部３９ａ１の近傍において各周壁部から電源回路配置部３６側に延出する凸部３９ａ２と、を有する。矢尻状爪部３９ａ１と凸部３９ａ２は、側面視において間隙を有する。矢尻状爪部３９ａ１と凸部３９ａ２との間隙において、矢尻状爪部３９ａ１と凸部３９ａ２によって電源基板３３は挟持される。電源基板３３は、その外周縁側の複数箇所を係止部３９ａによって、電源ケース３５の底面部３５ａと所定の離間距離を有するように電源回路配置部３６の所定の位置に配置される。規制部３９ｂは、電源基板３３の照射面側に当接して、電源基板３３が下方に移動することを規制する。また、規制部３９ｂの先端部は、電源基板３３に設けられた貫通孔３３ａと嵌合することができる。これにより、電源基板３３のチャンネル切替スイッチ８３付近は、電源回路配置部３６のチャンネル切替スイッチ部３８付近の所定の位置に位置決めされる。また、チャンネル切替スイッチ８３付近における電源基板３３の位置ズレを防止する。チャンネル切替スイッチ部３８付近において、規制部３９ｂによって電源基板３３の位置を規制することで、チャンネル切替操作を行う際に、チャンネル切替スイッチ８３の位置ズレが生じにくく操作しやすい。
すなわち、係止部３９ａと規制部３９ｂにより、電源基板３３は、電源ケース３５の底面部３５ａと所定の離間距離を有するように、電源ケース３５の所定の位置に取り付けられる。
【００３７】
電源ケース３５の照射面側（電源回路部３２の配置側とは反対の面）には、図８に示すように、側方に突出する複数（本実施形態では、２つ）の爪部２０が設けられている。図９に示すように、爪部２０は、器具本体２１の収容部２６の底板部２４に設けられた切欠き部２４ｅに嵌合する部分である。電源ケース３５は、該電源ケース３５が有する爪部２０が底板部２４に設けられた切欠き部２４ｅに嵌合することで該電源ケース３５が底板部２４の所定の位置に位置決めされる。電源ケース３５は、器具本体２１と器具上部カバー６１に挟まれることで固定される。
【００３８】
図１１に示すように、給電側コネクタ保持部３５ｅは、取付部７１に対向する第１周壁部３５ｂにおいて取付部７１に向けて凸状に突出した部分である。図７に示すように、給電側コネクタ保持部３５ｅは、電源回路配置部３６に連通した部分であり、有底状で上端が開放されている。給電側コネクタ保持部３５ｅには、給電側コネクタ３４を挿通するための挿通孔３５ｆを有している。電源回路部３２から配線を介して延出される給電側コネクタ３４は、給電側コネクタ保持部３５ｅにより挿通孔３５ｆからとび出した状態で保持される。
なお、本実施形態の給電側コネクタ保持部３５ｅは、本発明における給電側コネクタ保持部の一例である。給電側コネクタ保持部は、その形状や、電源ケースに設けられる位置などを適宜変更してもよい。
【００３９】
チャンネル切替スイッチ部３８は、周壁部２５に対向する第３周壁部３５ｄの長手方向の中央部に設けられ、器具本体２１の貫通孔２５ａから露出される側面視略四角状の部分である。チャンネル切替スイッチ部３８は、電源ケース３５内に電源基板３３が配置されたとき、チャンネル切替スイッチ８３が配置される部分である。チャンネル切替スイッチ部３８は、上端に径方向外側に張り出した張出部３８ａと、張出部３８ａの下部にチャンネル切替スイッチ８３の先端部を露出するための貫通孔３８ｂとを有している。チャンネル切替スイッチ部３８は、器具本体２１の貫通孔２５ａに組み合わされて、チャンネル切替スイッチ部３８が周壁部２５の側面に露出される。チャンネル切替スイッチ部３８の露出部分は、周壁部２５の傾斜にほぼ沿って傾斜し、ユーザーが下方から視認し易いように形成されている。このように、チャンネル切替スイッチ部３８が器具本体２１の貫通孔２５ａを介して照射面側に露出するため、チャンネル設定作業がしやすい。
なお、電源基板３３は実装面に複数の電気部品が実装されているが、図３等においては電源基板３３の構成を明瞭に図示するために電気部品の一部の図示は省略した。また、本実施形態のチャンネル切替スイッチ部３８は、本発明におけるチャンネル切替スイッチ部の一例である。チャンネル切替スイッチ部は、その形状や、電源ケースに設けられる位置などを適宜変更してもよい。
【００４０】
このように電源部３１を構成することで、電源回路部３２（電源基板３３）と、受信部８１（受光素子８２、チャンネル切替スイッチ８３）と、給電側コネクタ３４と、を一体化して１ユニット化している。電源部３１は、先ず、爪部２０が器具本体２１の底板部２４に設けられた切欠き部２４ｅに係止される。チャンネル切替スイッチ部３８は、器具本体２１の照射面側において、張出部３８ａが器具本体２１の鍔部２７の内周端部に係止された状態で配置される。器具本体２１に電源部３１を配置した状態で、器具上部カバー６１が器具本体２１に取り付けられる。器具本体２１に器具上部カバー６１が取り付けられることで、電源部３１は器具本体２１と器具上部カバー６１とで挟持されて固定される。その際に、給電側コネクタ部３７（給電側コネクタ保持部３５ｅ）は、取付部７１の後述する給電側コネクタガイド部７６に組み合わされる。また、チャンネル切替スイッチ部３８が器具本体２１の貫通孔２５ａに組み合わされる。
これにより、給電側コネクタ３４は、取付部７１の内部に露出するように取り付けられる。また、チャンネル切替スイッチ部３８は、周壁部２５の側面に露出するように取り付けられる。照明器具１１を天井等の取付面に取り付ける際、給電側コネクタ３４は、取付部７１の内部に配置された状態で、配線器具側のコネクタ（図示せず）に接続することで、電源回路部３２は照明器具用の天井配線器具を介して外部商用電源と電気的に接続される。こうして、電源回路部３２（電源基板３３）、受信部８１（受光素子８２、チャンネル切替スイッチ８３）、及び給電側コネクタ３４は、電源ケース３５を介して器具本体２１の収容部２６に１ユニットとして取り付けられる。
【００４１】
また、電源回路部３２は、上記のように、電源ケース３５に収容されるため、電源回路部３２と器具本体２１との間で電気的絶縁性を確保できる。また、電源ケース３５を用いて、電源回路部３２（電源基板３３）、受信部８１（受光素子８２、チャンネル切替スイッチ８３）、及び給電側コネクタ３４を電源部３１として１ユニット化することによって、これらを同時に器具本体２１及び取付部７１に容易に取り付けることができ、照明器具１１の組立性が向上する。すなわち、照明器具１１の組立作業の簡素化を可能とする。また、電源ケース３５を用いて電源回路部３２（電源基板３３）、受信部８１（受光素子８２、チャンネル切替スイッチ８３）、及び給電側コネクタ３４を一体化して１ユニットにする作業工程と、当該１ユニットを器具本体２１に取り付ける作業工程とを分業化することが可能となり、生産性が向上する。
【００４２】
また、電源ケース３５は、取付面側が開放されており、電源基板３３の一面側（取付面側）が露出している。これにより、電源回路部３２から発生する熱は、電源ケース３５の内部に籠ることがない。また、電源ケース３５は、器具上部カバー６１に対向する側が開放されているため、熱が器具上部カバー６１を介して外部に放熱されることで、放熱性が向上する。
【００４３】
光源部４１は、照明器具１１の照射面側に向けて光を出射する部分である。光源部４１は、器具本体２１の凸部（収容部２６の照射面側の部分）に配置される。光源部４１は、複数のＬＥＤ素子４２を有する。光源部４１は、底板部２４の照射面側の光源取付部２４ａ上に配置される平板状のものである。光源取付部２４ａは、平坦な表面を有する。具体的には、光源部４１は、複数（本実施形態では、２枚）のＬＥＤ光源モジュール４４を有している。各ＬＥＤ光源モジュール４４は、平板状モジュール基板である基板４３（４３ａ、４３ｂ）上に複数の点光源であるＬＥＤ素子４２が実装されて構成されている。複数のＬＥＤ素子４２は、器具本体２１の開口部２２を中心として略同心円状に略等間隔で配置されている。ＬＥＤ光源モジュール４４は、器具本体２１が有する保持部２９よりも照射面側の位置に配置される。これにより、透光性カバー５１に保持部２９の影が出にくい。
【００４４】
ＬＥＤ光源モジュール４４が有する基板４３は、図６に示すように、平面視において所定幅を有する略半円環状に形成されている。本実施形態では、２枚のＬＥＤ光源モジュール４４が用いられるが、各ＬＥＤ光源モジュール４４の基板４３は、共に略半円環状で類似の形状であるが外形輪郭形状の一部が異なっている。
【００４５】
図１４に示すように、一方のＬＥＤ光源モジュール４４の基板４３ａは、内周側の一方の角部を略Ｌ字状に切り欠いた形状である。すなわち、基板４３ａは、内周側の周方向一端を略Ｌ字状に切り欠いた切欠き部４３ａ１を有する。基板４３ａは、円周方向の両端部において、径方向に沿って形成された、切欠き部４３ａ１に連設される一方の端部４３ａ２と、他方の端部４３ａ３とを有する。当該一方の端部４３ａ２の径方向中央部には、底板部２４の挿通孔２４ｂに対応するように略半円状に切り欠いた切欠き部４３ａ４を有する。基板４３ａの外周側には、端部４３ａ２に近い方から順に直線状に切り欠いた切欠き部４３ａ５及び切欠き部４３ａ６を有する。
【００４６】
図１４に示すように、他方のＬＥＤ光源モジュール４４の基板４３ｂは、内周側の一方の角部を略Ｌ字状に切り欠いた形状である。すなわち、基板４３ｂは、内周側の周方向一端を略Ｌ字状に切り欠いた切欠き部４３ｂ１を有する。基板４３ｂは、円周方向の両端部において、径方向に沿って形成された、切欠き部４３ｂ１に連設される一方の端部４３ｂ２と、他方の端部４３ｂ３とを有する。当該他方の端部４３ｂ３の径方向中央部には、底板部２４の挿通孔２４ｂに対応するように略半円状に切り欠いた切欠き部４３ｂ４を有する。基板４３ｂの外周側には、端部４３ｂ３に近い方から順に直線状に切り欠いた切欠き部４３ｂ５と切欠き部４３ｂ６を有する。基板４３ｂは、受光窓２４ｃに対応するオーバル状の開口である受光窓４３ｂ７を有する。一方の基板４３ａは、切欠き部４３ａ１と切欠き部４３ａ４とが同じ端部（端部４３ａ２）に形成され、他方の基板４３ｂは、切欠き部４３ｂ１と切欠き部４３ｂ４とが異なる端部（端部４３ｂ２と端部４３ｂ３）にそれぞれ形成される。
【００４７】
基板４３ａ及び基板４３ｂでは、それぞれの内周側の周方向一端を切り欠いた切欠き部４３ａ１及び切欠き部４３ｂ１、外周側を直線状に切り欠いた切欠き部４３ａ５及び切欠き部４３ａ６、切欠き部４３ｂ５と切欠き部４３ｂ６を設けている。これにより、図１４に示すように、基板素材（元基板）をカットして複数の基板を作製する際に、切欠き部４３ａ１及び切欠き部４３ｂ１に基板４３ａ及び基板４３ｂの外周側の周方向の一端を配置することで、効率的に切り取り可能となり、基板素材の廃棄する部分が少なく、製造コストが抑えられる。
【００４８】
各ＬＥＤ光源モジュール４４の基板４３（４３ａ、４３ｂ）には、径方向中央部において、周方向に沿って複数（本実施形態では、基板４３ａ、４３ｂにそれぞれ２つずつ）のネジ孔等のネジ固定部４６を有している。
【００４９】
基板４３（４３ａ、４３ｂ）には、底板部２４の光源取付部２４ａに設けられた複数（本実施形態では、４つ）の円形状の凸部２４ｇに係止されて位置決めするための円形状の複数（本実施形態では、基板４３ａ、４３ｂにそれぞれ２つずつ）の貫通孔４７が径方向中央部において周方向に沿って設けられている。
【００５０】
各ＬＥＤ光源モジュール４４は、円周方向における、端部４３ａ２と端部４３ｂ３、端部４３ａ３と端部４３ｂ２を対向させて光源取付部２４ａに配置される。また、各ＬＥＤ光源モジュール４４には、端部４３ａ３と端部４３ｂ２とを対向させた配置した際に、電源部３１から延びる配線を電気的に接続するための接続部であるコネクタ４５を有している。コネクタ４５は、各ＬＥＤ光源モジュール４４に配置された複数のＬＥＤ素子４２に給電するためのコネクタである。コネクタ４５は、図４に示すように、平面視において電源部３１と重なる位置に配置されている。また、各ＬＥＤ光源モジュール４４間を電気的もしくは機械的に接続する接続部品により接続して複数のＬＥＤ光源モジュール４４を一つのユニットにすることもできる。略半円環状の２つのＬＥＤ光源モジュール４４を、端
部同士を対向させて光源取付部２４ａに配置することにより、略円環状を成した光源部４１を形成することができる。各ＬＥＤ光源モジュール４４は、各々に対応する配線（図示せず）を各コネクタ４５に接続することによって電源部３１と電気的に接続されている。各ＬＥＤ光源モジュール４４は、基板４３の実装面の裏面が各光源取付部２４ａの平坦な表面に当接して固定されるため、各ＬＥＤ光源モジュール４４が発熱した際には、ＬＥＤ光源モジュール４４の熱が器具本体２１や器具上部カバー６１に伝わる。器具本体２１に伝わった熱は、器具本体２１の温度よりも周辺温度が低い場合、器具本体２１周辺の空気へ伝わる。これにより、器具本体２１に伝わった熱は、器具本体２１の周囲に放熱される。
なお、各ＬＥＤ光源モジュール４４は、熱伝導性シート（図示せず）や放熱グリスを介して光源取付部２４ａに取り付けてもよく、これにより、より高い放熱性を得ることができる。
【００５１】
また、本実施形態では、光源として発光素子の一例である表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。
また、基板４３ａ及び基板４３ｂのそれぞれには、径方向の中央部に複数（本実施形態では、２つ）の円形状の貫通孔４７が設けられている。例えば、図６のように光源取付部２４ａに複数の円形状の凸部２４ｇ（本実施形態では、４つ）を有するように器具本体２１を設けた場合には、凸部２４ｇに貫通孔４７を係止させて位置決めすることも可能である。基板４３が有する貫通孔４７を、光源取付部２４ａが有する凸部２４ｇに係止させることで、容易にＬＥＤ光源モジュール４４を光源取付部２４ａにおける所定の位置に配置することができる。
【００５２】
本実施形態のＬＥＤ光源モジュール４４では、略同心円状（基板４３の径方向内側、径方向外側の２列）に複数のＬＥＤ素子４２が並んで配列されている。
【００５３】
透光性カバー５１は、器具本体２１の照射面側を覆うように器具本体２１に取り付けられ、光源部４１からの光を反射及び拡散させつつ、外部へ配光する部材である。透光性カバー５１は、セード等を含む。透光性カバー５１は、透光性を有する樹脂素材で形成されている。透光性カバー５１の全体形状は、平面形状が円形であり、下面側に緩やかにドーム状に膨らんでいる。透光性カバー５１は、透光性カバー５１の内部の清掃や器具本体２１の部品交換等のために器具本体２１に対して着脱できる構造となっている。透光性カバー５１の上面側の開口縁部には、透光性カバー５１を器具本体２１が有する鍔部２７に取り付けるための被保持部５２が形成されている。なお、本実施形態における透光性カバー５１の形状は一例であって、ドーム状の他、円筒状や角筒状などにすることもできる。
【００５４】
器具本体２１には、透光性カバー５１の被保持部を保持するための取付金具である保持部２９が設けられている。詳細は省略するが、透光性カバー５１を器具本体２１の取り付け位置に配置して透光性カバー５１の周方向の一方に回動させると、透光性カバー５１の被保持部５２が器具本体２１の保持部２９に保持されて透光性カバー５１が器具本体２１に取り付けられる。また、透光性カバー５１が器具本体２１に取り付けられた状態で透光性カバー５１を周方向の他方に回動させると、透光性カバー５１の被保持部５２が器具本体２１の保持部２９から外れて、透光性カバー５１を器具本体２１から取り外すことができる。
【００５５】
器具上部カバー６１は、器具本体２１の取付面側の少なくとも一部（例えば、収容部２６）を覆う部材である。器具上部カバー６１は、平面視において外形形状が円形で断面視において上方に向けて凹状であり、取付面側に突出して形成されている。本実施形態では、器具上部カバー６１は、電源部３１の取付面側の全体及び取付部７１の取付面側の一部を覆っている。器具上部カバー６１は、平面視における外形輪郭形状が略円形状である。器具上部カバー６１は、照射面側に器具本体２１及び取付部７１等を保持するものである。器具上部カバー６１は、器具本体２１が有する収容部２６の取付面側に取り付けられる。また、器具上部カバー６１の照射面側の中央部には、アダプタ等の配線部品１１０を取り付けるための取付部７１が取り付けられる。器具上部カバー６１は、取付孔６４、周縁部６５、天板部６６、周壁部６７、及び該周壁部６７の周囲に形成される器具取付部６８を有し、単一の部材として一体的に形成されている。器具上部カバー６１は、器具本体２１及び取付部７１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、器具上部カバー６１は、耐久性、強度及び放熱性が高い材料であれば、先述した金属材料に限らず、その他の合金材料や樹脂等の他の材料で形成することができる。
なお、本実施形態においては、周縁部６５、天板部６６、周壁部６７、及び器具取付部６８を器具上部カバー６１として一体的に形成しているが、特に限定するものではなく、上記各構成部材を各々組み付けて構成してもよい。
【００５６】
取付孔６４は、照明器具１１を天井に取り付ける際、アダプタ等の配線部品１１０を挿通する円形の開口部分である。取付孔６４は、器具上部カバー６１の径方向中心となる位置に設けられている。
【００５７】
周縁部６５は、取付孔６４の周縁部分であり、取付部７１の一端（上端）が取り付けられる部分である。周縁部６５は、下方に向けて突出し、所定幅を有する円環状の部分である。周縁部６５には、取付部７１が有する爪部７４が嵌合するための貫通孔６５ａが設けられている。本実施形態では、周縁部６５の周方向に沿って等間隔に配置された複数（本実施形態では、２つ）の貫通孔６５ａを設けた。周縁部６５には、取付部７１をネジ部材などの固定部材により固定するための複数（本実施形態では、２つ）の第１ネジ固定部６５ｂが設けられている。取付部７１が有する爪部７４が周縁部６５に設けられた貫通孔６５ａに嵌合することで該取付部７１が周縁部６５の所定の位置に位置決めされるとともに、取付部７１が第１ネジ固定部６５ｂに固定部材により固定される。すなわち、取付部７１は、爪部７４を貫通孔６５ａに嵌合することで仮止めされ、固定部材により周縁部６５が有する第１ネジ固定部６５ｂに固定される。
【００５８】
周縁部６５には、ＱＬスタット用の一対の切除可能なノックアウト部６５ｃが設けられている。ノックアウト部６５ｃは、大径部６５ｃ１、該大径部６５ｃ１に連設するスリット部６５ｃ２からなる。照明器具取付用の取付金具であるＱＬスタットを用いて照明器具１１を取付面に取り付ける場合に、ノックアウト部６５ｃをドライバー等の先端で打ち抜くことで、ノックアウト部６５ｃを貫通させて取付孔を形成することができる。ＱＬスタットは、天井に固定された引掛シーリングボディを包囲するように環状に設けられた取付金具である。天井にＱＬスタットを固定した後、ノックアウト部６５ｃを利用して、ねじ部材でＱＬスタットに器具本体２１を固定する。
【００５９】
天板部６６は、周縁部６５の周囲に円環状に形成された平坦部分である。
【００６０】
周壁部６７は、天板部６６の外周縁から下方に行くに従って拡径されるテーパ状の部分である。
【００６１】
器具取付部６８は、周壁部６７の下端の四方から径方向外側に延出される鍔状の部分である。器具取付部６８は、周壁部６７の下端の周囲に略均等間隔に複数（本実施形態では、４つ）設けられる。また、複数の器具取付部６８は、周壁部６７の周方向において、複数（本実施形態では、４つ）の切欠き部６９と交互に配置されている。器具取付部６８は、ネジ固定部６８ａを有し、固定部材により器具本体２１の鍔部２７に取り付けられる。
【００６２】
器具取付部６８の切欠き部６９は、その周方向の長さ寸法が緩衝材３０の長手方向の長さ寸法に対応しており、器具上部カバー６１を器具本体２１に取り付けた際に、器具本体２１の鍔部２７における切欠き部６９の位置を基準として、緩衝材３０を器具本体２１の鍔部２７の所定位置に取り付けることができる。これにより、緩衝材３０の取付位置（貼り付け位置）の視認性を向上させることができる。すなわち、器具本体２１の鍔部２７における緩衝材３０の位置決めが容易にできる。
【００６３】
具体的には、緩衝材３０は、平面視略円弧状の切欠き部６９の頂部と近接した状態で、器具本体２１の鍔部２７の内周近傍に取り付けられている。緩衝材３０は、細長い直方体であり、緩衝材３０の長手方向が器具本体２１の径方向と直交するように器具本体２１の鍔部２７に取り付けられる。緩衝材３０を光源部４１が保持されている器具本体２１に取り付けることは、器具本体２１のガタツキを防止して光源部４１の位置も安定させるため、好ましい。
【００６４】
器具上部カバー６１は、取付部７１を取り付けた状態で、器具取付部６８が器具本体２１の鍔部２７の内周近傍に当接されて取り付けられる。器具上部カバー６１が平面視で収容部２６と重なるように器具本体２１に取り付けられることで、取付部７１の一部が器具本体２１の開口部２２から露出するように配置される。また、器具上部カバー６１と収容部２６（底板部２４）により所定の空間が形成され、該空間に電源部３１及び取付部７１を収容するための高さ及び幅が確保される。器具上部カバー６１内においては、電源部３１（電源ケース３５）が取付部７１と隣り合うように配置される（図１１参照）。
【００６５】
取付部７１は、引掛シーリングアダプタ等の配線部品１１０を取り付ける部分である。図１０に示すように、取付部７１は、器具本体２１が有する開口部２２より大径の円筒部７２と、該円筒部７２の一端（上端）から径方向内側に延出される円環部７３を有している。該円環部７３には、取付部７１の一端（上端）をネジなどの固定部材により器具上部カバー６１の第１ネジ固定部６５ｂに固定するためのネジ固定部７５が設けられている。円環部７３の取付面側には、器具上部カバー６１（周縁部６５）に設けられた貫通孔６５ａに嵌合する複数（本実施形態では、２つ）の爪部７４が上方に突出して設けられている。複数の爪部７４は、同一円周上に配置されている。爪部７４は、器具本体２１が有する貫通孔６５ａに嵌合させることができる。爪部７４を貫通孔６５ａに挿通させた状態で取付部７１を回動させることで、爪部７４を貫通孔６５ａに嵌合させることができる。こうして、器具上部カバー６１に取付部７１を容易に取り付けることができる。当該嵌合後、取付部７１は、ネジなどの固定部材により器具上部カバー６１が有する周縁部６５に固定される。取付部７１は、器具本体２１の収容部２６と、器具上部カバー６１との間に挟まれるように固定される。
【００６６】
円環部７３には、一対のノックアウト部６５ｃに対応する位置に長孔７７が設けられている。これにより、一対のノックアウト部６５ｃを切除することで、ＱＬスタット用の取付孔を形成することができる。
【００６７】
円筒部７２には、電源部３１の給電側コネクタ部３７を組み合わせることが可能な給電側コネクタガイド部７６が設けられている（図１０参照）。給電側コネクタ部３７は、給電側コネクタガイド部７６に組み合わせることで、給電側コネクタ３４が取付部７１の内部に配置される（図１１参照）。
【００６８】
照明器具１１を天井に取り付ける一例としては、照明器具用の天井配線器具（引掛シーリングボディ）にアダプタ等の配線部品１１０を取付け、器具上部カバー６１が有する取付孔６４に配線部品１１０を差し込むとともに、該配線部品１１０を取付部７１内に嵌合する。
【００６９】
受信部８１は、上述した電源部３１の電源基板３３上に配置されている。受信部８１は、リモコン（図示せず）からの無線信号（本実施形態では赤外線による信号）を受信する部分である。受信部８１は、受光部である受光素子８２と、チャンネル切替スイッチ８３を有している。受光素子８２は、電源部３１の電源基板３３の長手方向中央部近傍に実装されている。受光素子８２は、光源部４１のＬＥＤ素子４２と同じ向き（受光素子８２の受光面とＬＥＤ素子４２の発光面が同じ向きになる）になるように実装されている。チャンネル切替スイッチ８３は、電源部３１の電源基板３３の照射面側で、その長手方向中央部であって、該電源基板３３の円弧状の端部に実装されている。受光素子８２は、平面視において器具本体２１が有する受光窓２４ｃと重なるように配置される。受信部８１は、電源基板３３に電気的に接続される。受光素子８２は、使用者によって操作されるリモコンから送信される無線信号を伝送媒体としたリモコン信号を受信することができる。リモコンにより受光素子８２に所定の信号を送信することで使用者はＬＥＤ光源モジュール４４（ＬＥＤ素子４２）の点灯、消灯、調光等を遠隔操作できる。
また、本実施形態ではリモコン信号を受信する受信部８１を設けたが、これに限らず、その他のセンサ制御方法を採用してもよい。また、無線信号による制御ではなく、有線での制御でもよく、その場合には受信部を設けなくてもよい。
【００７０】
保護カバー９１は、器具本体２１と透光性カバー５１との間において、光源部４１を覆う部材である。保護カバー９１は、光拡散カバーとも呼ばれる。保護カバー９１は、光源部４１と透光性カバー５１との間に配置される。保護カバー９１は、透光性を有しており、例えば透光性を有する樹脂素材で形成されている。保護カバー９１は、平面視において略円環状の部材であって、図１２、図１３に示すように、主に内周縁部９２、光源カバー部９３、及び外周縁部９４を有している。保護カバー９１は、器具本体２１の底板部２４の照射面側をほぼ覆うことができる。
【００７１】
内周縁部９２は、保護カバー９１の中央に配置される略円環状の部分である。保護カバー９１が器具本体２１に取り付けられた場合、保護カバー９１の内周縁部９２は、器具本体２１の底板部２４の内周縁部の照射面側に当接もしくはほとんど隙間を有しない状態で近接する。
以下の説明において、「当接もしくはほとんど隙間を有しない状態で近接する」状態を、単に「当接する」と表現する。以下の説明において「当接する」と表現されるものは、「ほとんど隙間を有しない状態で近接する」状態も含むものとする。
【００７２】
光源カバー部９３は、平面視円環状であり、内周縁部９２の径方向外側に連続して形成され、光源部４１に対して所定の隙間を有する部分である。光源カバー部９３は、内周側から順に、平面視円環状で照射面に向けて凸状の第１レンズ部９５と、第１レンズ部９５の径方向外側に連続して形成される所定幅を有する平面視略円環状の平坦部９６と、平坦部９６の径方向外側に連続して形成される平面視円環状で照射面側に向けて凸状の第２レンズ部９７を有している。図１６、図１７に示すように、本実施形態の第１レンズ部９５及び第２レンズ部９７は、断面視略Ｕ字状を有する形状に形成される。第１レンズ部９５は、ＬＥＤ光源モジュール４４の基板４３において略同心円状に配列された複数のＬＥＤ素子４２うち、径方向内側に配置されたＬＥＤ素子４２と平面視で重なる位置に配置される。第２レンズ部９７は、ＬＥＤ光源モジュール４４の基板４３において略同心円状に配列された複数のＬＥＤ素子４２のうち、径方向外側に配置されたＬＥＤ素子４２と平面視で重なる位置に配置される。
【００７３】
詳細は後述するが、第１レンズ部９５及び第２レンズ部９７は、複数のＬＥＤ素子４２から出射された光が通過した際に、光を反射及び拡散させつつ、外部へ配光する。こうして、第１レンズ部９５及び第２レンズ部９７は、透光性カバー５１における光の均整度を高めることができる。
【００７４】
保護カバー９１において、第１レンズ部９５及び第２レンズ部９７は、基板４３に円環状に配列された複数のＬＥＤ素子４２を連続的に覆っている。そのため、畳数違いなどＬＥＤ素子４２の配置数や配置間隔が変更になった場合であっても、ＬＥＤ素子４２が平面視で重なる位置であれば、第１レンズ部９５及び第２レンズ部９７によって光制御することが可能であり、汎用性に優れる。
【００７５】
内周縁部９２、光源カバー部９３、及び外周縁部９４は、例えば、アクリル樹脂又はポリカーボネート樹脂等の透光性樹脂を用いて、金型を用いた射出形成によって一体的に形成することが可能である。
【００７６】
平坦部９６には、照射面側に凸状に向かって膨らむ形状で平面視略長方形状の凸部９８を有している。凸部９８は、上述した電源挿通部及び基板４３に設けられたコネクタ４５（図６参照）に対応する位置に設けられ、取付面側に電源挿通部から延びる配線及び基板４３に設けられたコネクタ４５を収容する所定の空間を有している。これにより、平坦部９６と電源挿通部から延びる配線やコネクタ４５との干渉を防ぐことができる。
【００７７】
平坦部９６には、固定部材により保護カバー９１、ＬＥＤ光源モジュール４４の基板４３ａ・４３ｂ、及び器具本体２１を共締めするための貫通孔である複数（本実施形態では、４つ）のネジ固定部９６ｄが設けられている。ネジ部材により器具本体２１のネジ固定部２４ｆ、ＬＥＤ光源モジュール４４のネジ固定部４６、及び保護カバー９１のネジ固定部９６ｄを介して、器具本体２１とＬＥＤ光源モジュール４４と保護カバー９１は共締めされる。これにより、器具本体２１とＬＥＤ光源モジュール４４との密着性を高めるとともに、ＬＥＤ光源モジュール４４と保護カバー９１との位置を適正に配置することができる。また、それぞれ個別に固定しないため、ネジやビス等の固定部材の使用量が減り、部品点数を少なくして製造コストの低減が図れる。
【００７８】
外周縁部９４は、光源カバー部９３（第２レンズ部９７）の周囲に連続して形成される略円環状の部分である。保護カバー９１が器具本体２１に取り付けられた場合、保護カバー９１の外周縁部９４は、器具本体２１の底板部２４の外周縁部の照射面側に当接する。
【００７９】
次に、上述した第１レンズ部９５及び第２レンズ部９７の特徴について図を用いて詳しく説明する。
図１５から図１７に示すように、第１レンズ部９５は、照射面側に向かって凸状で断面視Ｕ字状の突条部９５ａと、リブ部９５ｂとを有している。第１レンズ部９５は、基板４３の径方向内側に円環状に配置されたＬＥＤ素子４２の列に沿って形成される。
第２レンズ部９７は、照射面側に向かって凸状で断面視Ｕ字状の突条部９７ａと、リブ部９７ｂとを有している。第２レンズ部９７は、基板４３の径方向外側に円環状に配置されたＬＥＤ素子４２の列に沿って形成される。
第１レンズ部９５の突条部９５ａと第２レンズ部９７の突条部９７ａは、それぞれの取付面側（背面側）が円環状の凹溝形状に形成されている。
なお、第１レンズ部９５及び第２レンズ部９７は、光源カバー部９３の径方向に配置される位置だけが異なるのみであり、それぞれの形状は同様の形状である。
【００８０】
図１６に示すように、突条部９５ａ（９７ａ）は、断面視においてＵ字形状で第１レンズ部９５（第２レンズ部９７）の本体部分である。突条部９５ａ（９７ａ）は、複数のＬＥＤ素子４２の列に沿って延設される。突条部９５ａ（９７ａ）は、取付面側にＬＥＤ素子４２を覆ってＬＥＤ素子４２から出射した光が入射する凹曲面状の入射面９５ａ１（９７ａ１）を有する。突条部９５ａ（９７ａ）は、照射面側に入射面９５ａ１（９７ａ１）から入射した光が出射する出射面９５ａ２（９７ａ２）を有する。本実施形態の出射面９５ａ２（９７ａ２）は、断面視略半楕円状の外形を有し、光軸Ｃに対して線対称な形状を有する。
【００８１】
リブ部９５ｂ（９７ｂ）は、突条部９５ａ（９７ｂ）の延設する方向に対して交差して突出するように複数設けられる。本実施形態のリブ部９５ｂ（９７ｂ）は、突条部９５ａ（９７ａ）から径方向に延出するように連続して設けられる板状の部分である。本実施形態のリブ部９５ｂ（９７ｂ）は、照射面側に向かって凸状に形成され、図１７に示すように突条部９５ａ（９７ａ）よりも長軸が長い断面視略半楕円状の外形を有する。リブ部９５ｂ（９７ｂ）は、光軸Ｃに対して線対称な形状を有する。リブ部９５ｂ（９７ｂ）の高さ寸法（保護カバー９１の上下方向における平坦部９６とリブ部９５ｂ（９７ｂ）頂部との離間寸法）は、突条部９５ａ（９７ａ）の高さ寸法と略同じである。リブ部９５ｂ（９７ｂ）は、突条部９５ａ（９７ａ）の延出方向に沿って略等間隔に複数設けられている。リブ部９５ｂ（９７ｂ）は、照射面側において入射面９５ａ１（９７ａ１）から入射した光が出射する面である、曲面出射面９５ｂ１（９７ｂ１）と、垂直面９５ｂ２（９７ｂ２）とを有する。曲面出射面９５ｂ１（９７ｂ１）は、照射面側に向けて凸状の凸曲面である。曲面出射面９５ｂ１（９７ｂ１）は、略半楕円状で光軸Ｃと交わる部分が頂部となり、突条部９５ａ（９７ａ）の出射面９５ａ２（９７ａ２）よりも径方向の幅寸法が大きい面である。垂直面９５ｂ２（９７ｂ２）は、側面視略扇状の面である。垂直面９５ｂ２（９７ｂ２）は、曲面出射面９５ａ２（９７ａ２）における突条部９５ａ（９７ａ）の延出方向の両端から平坦部９６（ＬＥＤ素子４２）側に向けて垂直に延出される面である。出射面９５ａ２（９７ａ２）は、入射面９５ａ１（９７ａ１）から入射した光を拡散させる光拡散機能を有する。突条部９５ａ（９７ａ）とリブ部９５ｂ（９７ｂ）とは一体で形成され、入射面９５ａ１（９７ａ１）から入射した光が伝播する媒質部分を構成する。
【００８２】
また、リブ部９５ｂ（９７ｂ）は、第１レンズ部９５（第２レンズ部９７）の径方向の断面視においてＬＥＤ素子４２の光軸Ｃに対して線対称形状となるように配置されている。垂直面９５ｂ２（９７ｂ２）は、第１レンズ部９５及び第２レンズ部９７の径方向の断面視においてＬＥＤ素子４２の光軸Ｃに対して線対称に形成されている。複数のリブ部９５ｂ（９７ｂ）は、ＬＥＤ素子４２の列に沿って略等間隔に配列され、突条部９５ａ（９７ａ）を介して連結される。すなわち、図１５に示すように、突条部９５ａ（９７ａ）の出射面９５ａ２（９７ａ２）とリブ部９５ｂ（９７ｂ）の曲面出射面９５ｂ１（９７ｂ１）とは、平面視において複数のＬＥＤ素子４２が並べて配置される周方向に沿って、交互に繰り返すように配置されている。
【００８３】
また、複数のリブ部９５ｂ（９７ｂ）の曲面出射面９５ｂ１（９７ｂ１）の少なくとも一つは、平面視においてＬＥＤ素子４２に重なるように形成されている（図１７参照）。
なお、本実施形態では、複数のリブ部９５ｂ（９７ｂ）が断面視半略楕円状に形成されているが、その形状に限定するものでなく、例えば、配光制御に応じて、断面視略台形状等に形成することができる。
また、複数のリブ部９５ｂ（９７ｂ）の出射面９５ａ２（９７ａ２）は、必ずしも全てがＬＥＤ素子４２に一対一に対応している必要は無く、ＬＥＤ素子４２が配置された位置に、当該出射面９５ａ２（９７ａ２）が対応して配置されていればよい。
【００８４】
図１８及び図１９を参照しながら、本実施形態の第２レンズ部９７の配光制御について説明する。なお、本実施形態の第１レンズ部９５は、径方向断面視において、第２レンズ部９７の突条部９５ａ、リブ部９５ｂと同様の形状を有する。したがって、第１レンズ部９５は第２レンズ部９７と同様な配光制御となるため、第１レンズ部９５の配光制御についての説明は割愛する。
まず、照明器具１１の径方向におけるリブ部９７ｂの配光制御について説明する。図１８に示すように、ＬＥＤ素子４２から出射された光は、第２レンズ部９７の入射面９７ａ１において径方向に拡散するように屈折し、リブ部９７ｂの曲面出射面９７ｂ１側に進む。曲面出射面９７ｂ１に到達した光は、更に屈折して径方向に拡散するように外部へ進む。このようにして、ＬＥＤ素子４２から出射された光は、第２レンズ部９７のリブ部９７ｂによって径方向に拡散するように配光制御される。次に、照明器具１１の径方向における突条部９７ａの配光制御について説明する。図１９に示すように、ＬＥＤ素子４２から出射された光は入射面９７ａ１において径方向に拡散するように屈折し、突条部９７ａの曲面出射面９７ａ２側に進む。曲面出射面９７ａ２に到達した光は、更に屈折して径方向に拡散するように外部へ進む。本実施形態のリブ部９７ｂの曲面出射面９７ｂ１は、突条部９７ａの曲面出射面９７ａ１よりも光軸Ｃに対して大きい角度に傾斜する表面を有している。そのため、リブ部９７ｂと突条部９７ａの配光制御を比較すると、リブ部９７ｂを通過した光は、より径方向に拡散するように配光制御される。
【００８５】
以上のように、第１レンズ部９５及び第２レンズ部９７では、突条部９５ａ（９７ａ）の出射面９５ａ２（９７ａ２）、及びリブ部９５ｂ（９７ｂ）の曲面出射面９５ｂ１（９７ｂ１）は光拡散機能を有する。複数のリブ部９５ｂ（９７ｂ）は突条部９５ａ（９７ａ）に沿って略等間隔に並べられ、ＬＥＤ素子４２の列に沿って周方向に配列されている。この複数のリブ部９５ｂ（９７ｂ）の形状や位置を調整することにより、保護カバー９１の径方向の配光制御を容易に行うことができる。リブ部９５ｂ（９７ｂ）とＬＥＤ素子４２を平面視で重なる位置に配置することによって、ＬＥＤ素子４２から出射される光を効率よく径方向に拡散させることができる。これにより、第１レンズ部９５及び第２レンズ部９７は、従来のようにその全体にわたって径方向の厚みが大きい部分を設けて厚肉化させることなく、リブ部９５ｂ（９７ｂ）と突条部９５ａ（９７ｂ）を組合せて厚肉化を抑止した形状にすることができる。また、径方向の厚みが小さい突条部も設けるため、全体的に径方向の厚みが大きい部分でレンズ部を形成するよりも、材料を少なくするとともに、成形サイクルを短くすることができるため、コスト的に有利である。本実施形態では、第１レンズ部９５及び第２レンズ部９７は、径方向の断面視においてそれぞれの複数のリブ部９５ｂ（９７ｂ）がＬＥＤ素子４２の光軸Ｃに対して線対称形状になるように配置されているため、ＬＥＤ素子４２の出射光を、ＬＥＤ素子４２の光軸Ｃよりも径方向内側に向かう光と径方向外側に向かう光とに均一に配光して、ＬＥＤ素子４２から出射される光を拡散させることができ、均一な照明光を得ることができる。
なお、複数のリブ部９５ｂ（９７ｂ）の形状や位置としては、本実施形態の形状に限定するものではなく、例えば、複数のリブ部９５ｂ（９７ｂ）の周方向の間隔、平面視におけるリブ部９５ｂ（９７ｂ）の短手方向の幅寸法及び長手方向の長さ寸法等を適宜設定することで、所望の配光制御をすることができる。また、本実施形態のリブ部９５ｂ（９７ｂ）は、照明器具１１の径方向（突条部９５ａ（９７ａ）の延在する方向に対して直交する方向）に設けたが、これに限られない。例えば、平面視で突条部９５ａ（９７ｂ）に対して傾斜するように交差する形状やヘリングボーン形状に設けてもよい。
また、本実施形態におけるリブ部９５ｂ（９７ｂ）は、平面視において細長い長方形状であるが、その他の形状であってもよい。例えば、平面視において細長い、台形状、楕円形状等であってもよい。また、リブ部９５ｂ（９７ｂ）を平面視で直線状に設けるだけでなく、曲線を有するよう設けてもよい。
また、本実施形態における突条部９５ａ（９７ｂ）及びリブ部９５ｂ（９７ｂ）は、径方向断面視において、略半楕円形状に形成したが、これに限らず、非曲面形状のその他の形状であってもよい。
【００８６】
本実施形態においては、第１レンズ部９５及び第２レンズ部９７は、それらの径方向の断面視においてリブ部９５ｂ（９７ｂ）が光軸Ｃに対して線対称になるように形成しているが、例えば、光軸Ｃに対して非対称となるように形成してもよい。例えば、図２０には、第２レンズ部９７の変形例である第２レンズ部９７Ａを示している。この第２レンズ部９７Ａでは、第２レンズ部９７Ａの径方向の断面視において略半楕円状のリブ部９７Ａｂを形成している。その径方向の両端部においてどちらか一方側（径方向外側）を他方側（径方向内側）よりも径方向の幅寸法を大きくして、一方側を厚くなるように形成してもよい。このように第２レンズ部９７Ａを構成することで、ＬＥＤ素子４２から第２レンズ部９７Ａに入射された光は配光制御され、第２レンズ部９７Ａの径方向内側に向かう光よりも径方向外側に向かう光がより径方向に広角に拡散することができる。すなわち、第２レンズ部９７Ａは、ＬＥＤ素子４２の光軸Ｃを中心に対して、径方向外側に光をより広角に拡散するように配光することができる。また、第２レンズ部９７Ａの径方向外側に向かう光よりも径方向内側に向かう光を広角に拡散させたい場合には、一方側（径方向外側）よりも他方側径方向内側）が厚くなるように形成すればよい。このように、第１レンズ部９５及び第２レンズ部９７は、リブ部９５ｂ（９７ｂ）の形状を適宜変更して所望の配光になるように制御することができる。
【００８７】
以上のように、本実施形態の照明器具１１では、特許文献１のような厚肉な突条部を設けなくても所望の配光制御を行うことができる。すなわち、指向性の強いＬＥＤ素子４２等の光源を用いた場合でも、光を拡散させて配光を拡げ、且つ、第１レンズ部９５及び第２レンズ部９７がリブ部９５ｂ（９７ｂ）を有することで、第１レンズ部９５及び第２レンズ部９７を厚肉化させなくても所望の配光性能を得ることできる。また、第１レンズ部９５、第２レンズ部９７の厚肉化を抑えることができるため、保護カバー９１を製造する樹脂成形において、偏肉に伴う成形難易度の上昇や、成形時の残留応力による成形不良や性能劣化を抑止することができる。
【符号の説明】
【００８８】
１１    照明器具
２１    器具本体
４１    光源部
４２    ＬＥＤ素子
４３    基板
４４    ＬＥＤ光源モジュール
９１    保護カバー（光拡散カバー）
９５    第１レンズ部
９７    第２レンズ部
９５ｂ、９７ｂ    リブ部
９５ａ、９７ａ    突条部
【図１】
2020004552.tif 000003
【図２】
2020004552.tif 000004
【図３】
2020004552.tif 000005
【図４】
2020004552.tif 000006
【図５】
2020004552.tif 000007
【図６】
2020004552.tif 000008
【図７】
2020004552.tif 000009
【図８】
2020004552.tif 000010
【図９】
2020004552.tif 000011
【図１０】
2020004552.tif 000012
【図１１】
2020004552.tif 000013
【図１２】
2020004552.tif 000014
【図１３】
2020004552.tif 000015
【図１４】
2020004552.tif 000016
【図１５】
2020004552.tif 000017
【図１６】
2020004552.tif 000018
【図１７】
2020004552.tif 000019
【図１８】
2020004552.tif 000020
【図１９】
2020004552.tif 000021
【図２０】
2020004552.tif 000022
【図２１】
2020004552.tif 000023